(57)【特許請求の範囲】
【請求項１】
上部に開口部を有する貯水ボックスと、該貯水ボックスの開口部を覆い前記貯水ボックスに通じる通水孔を有する天板と、前記天板の通水孔に装着され、前記貯水ボックス内の水を毛細管現象を利用して揚水する導水性部材とを有する貯水ユニットにおいて、前記導水性部材はその上端部に所定温度以上では水分を給排水し、所定温度以下では水分をその内部に保持する給排水樹脂を含む感温性給排水部を有していることを特徴とする貯水ユニット。
【請求項２】
路床上方に平面状に複数個敷き詰められた請求項１記載の貯水ユニットと、該貯水ユニットの上方に形成された透水性クッション層と、該透水性クッション層上に敷き詰められた保水性ブロックとを有することを特徴とする保水性舗装。
【請求項３】
前記貯水ユニットと前記透水性クッション層との間に透水性防砂部材を敷き詰めたことを特徴とする請求項２記載の保水性舗装。
【請求項４】
上部に開口部を有する貯水ボックスと該貯水ボックスの開口部を覆い前記貯水ボックスに通じる通水孔を有する天板と前記天板の通水孔に装着され前記貯水ボックス内の水を毛細管現象を利用して揚水する導水性部材とを有し平面状に複数個敷き詰められた貯水ユニットと、少なくとも前記導水性部材の上端上に所定温度以上では水分を給排水し、所定温度以下では水分をその内部に保持する給排水樹脂を含む感温性給排水部が配置された感温性給排水層と、該感温性給排水層の上方に形成された透水性クッション層と、該透水性クッション層上に敷き詰められた保水性ブロックとを有することを特徴とする保水性舗装。
【発明の詳細な説明】
【技術分野】
【０００１】
本発明は、例えば、舗道や屋上あるいは公園内等に布設される貯水ユニット及び保水性舗装に関するものである。
【背景技術】
【０００２】
都市部の舗道やビルの屋上、あるいは公園内の一部は、通常、アスファルトやコンクリートで固められている。そのため夏季の日中においては温度上昇が激しく、舗道を歩いたり、屋上等で過ごすにはとても厳しい状況にある。特に温暖化現象が顕著になってきた昨今においては、日中のみならず夜間においても、この熱がアスファルトやビルの屋上から放熱されて、いわゆるヒートアイランド現象を引き起こす要因の一つにもなっている。
【０００３】
このヒートアイランド現象を緩和しようと、道路の脇に木を植えたり、ビルの屋上に芝生や木を植えたり、あるいは種々の草花を植える試みも成されているが、それだけでは十分でなく、さらなる工夫が求められている。
この一環として、特許文献１にあるように保水性舗装ブロック本体（以下単に保水性ブロックという）の下に容器状の保水タンクを設置し、この保水タンクに降った雨水を溜めておき、これを高温時には不織布を介して毛細管現象により上方に吸い上げ、これを保水性ブロックから蒸発させて、その蒸発潜熱により保水性ブロックを冷やそう、との試みも成されている。
すなわち、降雨時には雨水を保水タンクに貯水し、雨水が一挙に河川に流れ込むのを防止し、高温時には貯水した雨水で保水性ブロックを冷やしてヒートアイランド現象の緩和に寄与しようとするものである。
【０００４】
【特許文献１】特許第２８８５０８５号公報（特開平８‐８５９０７号）
【発明の開示】
【発明が解決しようとする課題】
【０００５】
しかしながら特許文献１に開示されている保水性ブロックの場合、夏季以外でも保水タンク内に溜められている雨水が不織布からなる導水性部材を介して保水性ブロックに供給される。そのため、保水タンク内に水がある場合には、いつも保水性ブロック表面が濡れた状態になっていることが多く、例えば秋になると街路樹等から落ちた枯葉や落ち葉が保水性ブロック表面に張り付き易く、保水性ブロックが汚れ易い、また掃除もやり難い、と言う問題がある。加えて冬季にあっては保水性ブロックに供給されている水が凍結して歩行者が滑り易く怪我をし易いとか、保水性ブロック内部に沁み込んでいる水の凍結により保水性ブロックが破損し易い、という問題もある。
【０００６】
前述の問題に鑑み本発明の目的は、外気温が高く、それ故保水性ブロックを冷却したい時期には保水性ブロックに水を供給し、秋や冬のように冷却の必要のない場合には、保水性ブロックへの給水を止めることのできる貯水ユニット、あるいは保水性舗装を提供することにある。
【課題を解決するための手段】
【０００７】
前記目的を達成すべく本発明の請求項１記載の貯水ユニットは、上部に開口部を有する貯水ボックスと、該貯水ボックスの開口部を覆い前記貯水ボックスに通じる通水孔を有する天板と、前記天板の通水孔に装着され、前記貯水ボックス内の水を毛細管現象を利用して揚水する導水性部材とを有する貯水ユニットにおいて、前記導水性部材はその上端部に所定温度以上では水分を給排水し、所定温度以下では水分をその内部に保持する給排水樹脂を含む感温性給排水部を有していることを特徴とするものである。
【０００８】
また請求項２記載の保水性舗装は、路床上方に平面状に複数個敷き詰められた請求項１記載の貯水ユニットと、該貯水ユニットの上方に形成された透水性クッション層と、該透水性クッション層上に敷き詰められた保水性ブロックとを有することを特徴としている。
このようにしてなる請求項１、請求項２記載の貯水ユニット及び保水性舗装によれば、導水性部材の上端に所定温度以上では水分を給排水し、所定温度以下では水分をその内部に保持する給排水樹脂を含む感温性給排水部を有しているため、夏季等外気温が高い場合には、前記感温性給排水部が水分を給排水する、すなわち保水性ブロックを浸透して下方に下りてきた雨水等を導水性部材に導き貯水ボックス内の貯水空間に溜めたり、逆に貯水空間から導水性部材を介して保水性ブロックへ水を供給する。
一方、秋から冬の外気温が低くなった場合には、水分を自身の内部に取り込み保持し、雨水等の移動を止める。
その結果、外気温が高い場合には、保水性ブロックと貯水ボックスの貯水空間との間の水の移動を可能にして雨水の貯水、及び貯水した雨水の保水性ブロックへの給水による保水性ブロックの冷却を助け、秋や冬のように外気温が下がったら水の移動を止めて、保水性ブロックの濡れや氷結による割れを防止することができる。
【０００９】
また請求項３記載の保水性舗装は、請求項２記載の保水性舗装において、前記貯水ユニットと前記透水性クッション層との間に透水性防砂部材を敷き詰めたことを特徴としている。
このようにしてなる請求項３記載の保水性舗装によれば、仮に貯水ユニット上に形成されている透水性クッション層を構成する土砂等の粒径が、天板に形成されている通水孔の孔径より小さくとも、この透水性防砂部材があればそのような土砂の通水孔から貯水ボックスへの侵入を防止することができる。それ故、長期に亘って貯水ボックス内への土砂の侵入、堆積を防止することができる。
【００１０】
さらに請求項４記載の保水性舗装は、上部に開口部を有する貯水ボックスと該貯水ボックスの開口部を覆い前記貯水ボックスに通じる通水孔を有する天板と前記天板の通水孔に装着され前記貯水ボックス内の水を毛細管現象を利用して揚水する導水性部材とを有し平面状に複数個敷き詰められた貯水ユニットと、少なくとも前記導水性部材の上端上に所定温度以上では水分を給排水し、所定温度以下では水分をその内部に保持する給排水樹脂を含む感温性給排水部が配置された感温性給排水層と、該感温性給排水層の上方に形成された透水性クッション層と、該透水性クッション層上に敷き詰められた保水性ブロックとを有することを特徴とするものである。
【００１１】
また参考例発明１記載の保水性舗装は、路床上方に敷き詰められた遮水シートと、該遮水シート上に形成された貯水層と、該貯水層上に形成され所定温度以上では水分を給排水し所定温度以下では水分をその内部に保持する給排水樹脂を含む感温性給排水層と、該感温性給排水層上に設けられた透水性クッション層と、該透水性クッション層上に敷き詰められた複数の保水性ブロックとを有することを特徴としている。
さらにまた参考例発明２記載の保水性舗装は、参考例発明１記載の保水性舗装において、前記貯水層と前記感温性給排水層との間に、前記貯水層内の水を毛細管現象を利用して揚水する導水層を設けたことを特徴としている。
【００１２】
前記請求項４と参考例発明１、参考例発明２記載の保水性舗装によっても、貯水ユニットの導水性部材上に、あるいは貯水層や導水層上に各々所定温度以上では水分を給排水し、所定温度以下では水分をその内部に保持する給排水樹脂を含む感温性給排水層を有しているため、この感温性給排水層が夏季等外気温が高い場合には水分を給排水する。
すなわち、保水性ブロックを浸透して下方に下りてきた雨水等を導水性部材に導き貯水ボックス内の貯水空間に溜める。また貯水空間から導水性部材により揚水された雨水を保水性ブロック側に給水する。
一方、秋から冬の外気温が低くなった場合には、水分を自身の内部に取り込み保持して雨水の移動を止める。
その結果、外気温が高い場合には、保水性ブロックと貯水ボックスの貯水空間との間の水分の移動を可能にして雨水の貯水、及び貯水した雨水の保水性ブロックへの給水による保水性ブロックの冷却を助け、秋や冬のように外気温が下がったら水の移動を止めて、保水性ブロックの濡れや氷結による割れを防止することができる。
【発明の効果】
【００１３】
以上のように本発明によれば、外気温が高く、それ故保水性ブロックを冷却したい時期には保水性ブロックに水を供給し、秋や冬のように冷却の必要のない場合には、保水性ブロックへの給水を止めることのできる貯水ユニット、あるいは保水性舗装を提供することができる。
【発明を実施するための最良の形態】
【００１４】
以下に図を用いて本発明の貯水ユニット及び保水性舗装の一実施形態例を詳細に説明する。
図１は本発明の保水性舗装を舗道に適用した例を示す概略断面図である。図１に示すように、まず地面を所定深さ掘って、これを整地して固めた路床の上に、必要なら砕石や砂を所定厚さ（図では省略）敷き詰めて下地１を形成する。尚、下地１としてその中に、具体的には下地１の最上層に、後述する貯水ユニット４に対する不陸を調整する作業を容易にするため、砂を所定厚さ敷き詰めたクッション層を設けておくと便利である。
【００１５】
続いてこの下地１の上に本発明に係る貯水ユニット４を各々のユニットの上面がおおよそ面一になるように平面状に複数個敷き詰め、かつ貯水ユニット４、４を固定するため貯水ユニット４、４間の隙間には、砕石や砂等からなる充填材１３を詰め込む。
この貯水ユニット４は、内部に雨水等を貯水する貯水空間８を有し、かつ上部に開口部を有する貯水ボックス２と、この貯水ボックス２の上部の開口部を覆い、貯水ボックス２内の貯水空間８に通じる通水孔９を有する天板３とを有している。さらに前記通水孔９を介してその下端が貯水ボックス２の底面にほぼ接触する程度まで垂下した導水性部材１０をも有している。
因みに、天板３に複数個の通水孔９が形成されている場合には、少なくともそのうちの１個の通水孔９に導水性部材１０を装着しておけばよい。ところで天板３に複数個の導水性部材１０を装着する場合には、各導水性部材１０から揚水する水の量ができるだけ均一になるように各導水性部材１０を配置するのが望ましい。尚、導水性部材１０は、シリカ等を円柱状あるいは円筒状に成形した多孔質体からなるもの、あるいは不織布等を帯状あるいはパイプ状等に加工したものなどからなっている。
【００１６】
そして貯水ユニット４を敷き詰めたら、貯水ユニット４の天板３上に、例えば、数ｍｍ程度の厚さを有する不織布等からなるシート状の透水性防砂部材５を、必要に応じて必要枚数重ねて敷き詰める。敷き詰める枚数は設置場所の条件等に応じて１枚でも複数枚でもよい。この透水性防砂部材５は、土砂等が天板３の通水孔９から貯水ボックス３内に侵入し、堆積するのを防止する防砂部材として作用する。もちろんこの透水性防砂部材５は、雨水等の水はよく透過させる。
次に透水性防砂部材５の上に、例えば砂礫等を所定厚さ敷き詰めて透水性クッション層６を形成し、最後にこの透水性クッション層６上に、例えば、この例のように舗道用の保水性舗装であれば、インターロッキングブロックからなる複数個の保水性ブロック７を平面状におおよそ面一に敷き詰める。ここで前記透水性クッション層６は保水性ブロック７を平面状に敷き詰める際に不陸作業、すなわち保水性ブロック７を面一に並べる作業を容易にする役割も果している。
【００１７】
そして図１に示す本発明の保水性舗装の特徴は、前記導水性部材１０の上端に所定温度以上では水分を給排水し、所定温度以下では水分をその内部に保持する給排水樹脂を含む感温性給排水部１１を設けた点にある。この感温性給排水部１１は、例えば、架橋ポリイソプロピルアクリルアシド等を主成分とする樹脂を不織布等に含有せしめたものである。これを導水性部材１０の上端に取り付けてある。
前記導水性部材１０の上端に設ける感温性給排水部１１は通水孔９を完全に覆うように、通水孔９の孔径よりも大きな寸法にしておくのが望ましい。また、感温性給排水部１１は導水性部材１０の上に載置するだけでもよいが、両者の構成が不織布等の布同士の場合は、通水性を阻害しない範囲で、感温性給排水部１１の感温性給排水部材と導水性部材１０とを接着材等で両者を固定することもできる。さらにまた、通水孔９を上段の孔径が大きく下段の孔径が小さくなるように厚さ方向に２段の段付き孔形状に形成して、上段に感温性給排水部１１を配置し、下段には導水性部材１０の上端が来るように配置し、導水性部材１０の先端部に感温性給排水部１１で栓をするようにすることもできる。
【００１８】
このようにしてなる図１に示す本発明の保水性舗装によれば、降った雨は、保水性ブロック７を透過して下方に浸透していき、さらに透水性クッション層６を抜け透水性防砂部材５に至る。
透水性防砂部材５に到達した雨水は、透水性防砂部材５内を水平方向にも拡散しながら貯水ユニット４の天板３の通水孔９から覗いている導水性部材１０の上端にある感温性給排水部１１に到達する。
【００１９】
この感温性給排水部１１は、導水性部材１０の上端にあって、夏季等の外気温が高い場合、例えば３０℃前後の場合には水分を給排水する。すなわち、保水性ブロック７からこの感温性給排水部１１に下りてきた水分を導水性部材１０に供給し、貯水ボックス３内の貯水空間８に溜める。同時に晴れて暑くなった日には、貯水ボックス３の貯水空間８から導水性部材１０により揚水された水を透水性防砂部材５へと供給し、供給された水は透水性クッション層６をさらに上昇して保水性ブロック７に至り、その表面から蒸発潜熱を奪いながら外気中へと拡散し、保水性ブロック７を含む周囲を冷却する。
【００２０】
一方、晩秋から冬、外気温が低くなった場合には、水を感温性給排水部１１自身の内部に取り込み保持し、水の移動を止める。すなわち、降った雨は保水性ブロック７、透水性クッション層６そして透水性防砂部材５へと浸透して来るが、感温性給排水部１１では取り込んだ雨水を自身の内部に保持して、導水性部材１０への雨水の供給を止める。そのため雨水の一部は導水性部材１０が装着されていない通水孔９から貯水ボックス２内の貯水空間８に落ちて溜まったり、また一部は透水性クッション層６や透水性防砂部材５において水平方向に拡散して舗道部以外の地中へ浸透し逃げていく。
そして雨が降らない日、貯水ボックス２の貯水空間８に溜まっている雨水が導水性部材１０内を毛細管現象によって上昇しようとしても、導水性部材１０の上端にある感温性給排水部１１が上昇してきた水分を自身の内部に保持してしまって、透水性防砂部材５側に給水（排水）しない。すなわち、水分は感温性給排水部１１の部分でその移動を遮断されてしまう。
【００２１】
その結果、秋から冬にあって外気温が、例えば２０℃以下になると、感温性給排水部１１の存在により、貯水ボックス２の貯水空間８に溜まっている水は、保水性ブロック７に給水されることがないから、従来のように雨が降らないにも係わらず、貯水ボックス２内に溜まっていた水の上昇によって保水性ブロック７の表面が濡れ、その表面に枯葉等を付着し易くなったり、その表面が凍結して滑り易くなったり、あるいは氷結によって保水性ブロック７自体が割れる、といった事故を大幅に低減することができる。
【００２２】
ところで前記実施形態例の説明では、天板３には複数個の通水孔９が形成されていて、その１つに、上端に感温性給排水部１１が装着された導水性部材１０を取り付ける旨説明したが、特に寒冷地にあっては貯水ボックス２内に雨水を一杯に溜めておくと、この雨水が凍結して貯水ボックス２を割ってしまう恐れがある。そのような恐れがある寒冷地にあっては、各天板３に一個のみ通水孔９を設け、これに感温性給排水部１１付きの導水性部材１０を装着するか、通水孔９を複数個設けてあるならその全てに感温性給排水部１１付きの導水性部材１０を装着するようにして、雨水が貯水ボックス２へと移動するのを防止すればよい。
【００２３】
また前記実施形態例では、貯水ユニット４と透水性クッション層６との間に透水性防砂部材５を敷き詰めているが、もしこの透水性クッション層６を構成する土砂等として、その粒径が天板３に形成されている通水孔９の孔径よりも大きなものが用いられている場合には、あえて透水性防砂部材５を敷き詰める必要はない。なぜならば、通水孔９の孔径よりも粒径の大きな透水性クッション層６を構成する土砂等は通水孔９を通過することができないからである。
【００２４】
図２は本発明の保水性舗装の別の実施形態例を示す概略断面図で、図１との相違点部分のみを取り出して示している。
図２に示す実施形態例の特徴は、図１に示すものと違い、その上端に感温性給排水部１１が装着されていない導水性部材１０を有する貯水ユニット４を平面状に複数個敷き詰めた上に、例えば、架橋ポリイソプロピルアクリルアシド等を主成分とする樹脂を不織布等の全体に含有せしめたシートを敷き詰めて感温性給排水層１２を形成した点にある。
このようにしておけば、図１に示した実施形態例のものよりも感温性給排水用の樹脂をより多く使用しなければならない、という価格的な問題はあるものの、仮に天板３に導水性部材１０を装着しない通水孔９が何個あろうとも気にすることなく、図１に示した感温性給排水部１１と同様の作用効果を感温性給排水層１２により得ることができる。加えてこの感温性給排水層１２が前述した透水性防砂部材５の役割も果し、透水性クッション層６側から土砂等の一部が通水孔９を介して貯水ボックス２内に侵入するのを防止できる利点もある。
【００２５】
図３は参考例実施形態１を示す概略断面図である。
図３に示すように、まず図１に示したものと同様にして、舗道における地面を所定深さ掘って、これを整地して固めた路床の上に、必要なら砕石や砂を所定厚さ（図では省略）敷き詰めて下地１を形成する。この上にゴムや合成樹脂からなる遮水シート１４を敷き詰める。尚、図３では省略しているが側面部も後述する貯水層１５の高さに相当する部分まで遮水シート１４で覆う。
しかる後、遮水シート１４で覆った部分に、図１や図２における貯水ユニット４を敷き詰める代わりに、この実施形態例では砕石等で貯水層１５を形成する。具体的には、貯水効率を高めるために比較的粒径の大きな砕石等を積層して貯水層１５を形成する。
この貯水層１５上に、例えば、架橋ポリイソプロピルアクリルアシド等を主成分とする樹脂を不織布等に含有せしめた厚さ数ミリ程度のシートを敷き詰めて感温性給排水層１２を形成する。因みに、この感温性給排水層１２は、図２に示すものと同じものである。しかる後、この感温性給排水層１２上に透水性クッション層６、そして最後に保水性ブロック７を平面状に複数個敷き詰める。
【００２６】
このようにして得た保水性舗装においても、貯水層１５と透水性クッション層６との間に設けた感温性給排水層１２が、夏季等の暑い季節には、保水性ブロック７側から貯水層１５に浸透してくる雨水等の水に対して、及び貯水層１５から保水性ブロック７側に移動する水に対しては給排水作用で水の移動を可能にする。一方、晩秋や冬の季節には、水を自身の内部に取り込んで水の移動を止め、保水性ブロック７への給水を止める。その結果、保水性ブロック７の表面が濡れ難く、また凍結し難くなり、かつ水の凍結による保水性ブロック７の割れも効果的に防止することができる。
【００２７】
また図３における感温性給排水層１２を、図４に示すような、例えばゴム製の孔開きシート１６を用いて形成することもできる。因みに、図４において、孔が均一に複数個形成されている、例えばゴムまたは合成樹脂製のシート１６、最適には孔開きの遮水シート１６を貯水層１５上に敷き詰め、しかる後各孔内に、例えば、前述した各実施形態例同様に、架橋ポリイソプロピルアクリルアシド等を主成分とする樹脂を不織布等に含有せしめた円形の感温性給排水部材１７を差し入れ、あとはその上に、図３に示すように砂等で透水性クッション層６を形成し、その上に保水性ブロック７を敷き詰める。
このようにすれば、高価な感温性樹脂の使用量を大幅に少なくすることができる。
【００２８】
このような孔開き遮水シート１６は貯水ユニット４を用いた保水性舗装にも使用できる。例えば、図２において、層全体が感温性給排水樹脂を含んでいる感温性給排水層１２の代わりに、この孔開き遮水シート１６を敷き詰めればよい。但し、この場合には、予め孔の位置が貯水ユニット４の天板３から顔を覗かせている導水性部材１０の上端位置とできるだけ一致するような遮水シート１６を用意しておく必要がある。孔開き遮水シート１６の孔と導水性部材１０の上端面を一致させて孔開き遮水シート１６を敷き詰めたら、その各孔内に架橋ポリイソプロピルアクリルアシド等を主成分とする樹脂を不織布等に含有せしめた円形の感温性給排水部１７を差し込めばよい。もちろん、予め孔開き遮水シート１６の各孔に感温性給排水部１７を装着したものであってもよいことはいうまでもない。
【００２９】
参考例実施形態２は、図３に示す参考例実施形態１において、貯水層１５と感温性給排水層１２との間に導水層を形成して、貯水層１５から感温性給排水層１２への水の上昇をより高めることもできる。
具体的には、貯水層１５よりもより粒径の小さな土砂を貯水層１５上に数ミリ〜数十ミリ程度積層させる。このように粒径の小さな土砂は、粒径の大きなものより毛細管現象が起こり易いため、貯水層１５から感温性給排水層１２への揚水がより効率的に行われるようになる。
尚、貯水層１５上にこのような導水層を設けないで済ますには、貯水率と毛細管現象の両方を適度に備える粒径の土砂で貯水層１５を形成すればよい。このような効果を期待できる粒径の土砂としては、粒径５０μｍ〜６００μｍの範囲の土砂が好ましい。
【００３０】
以上に説明したように、本発明例の貯水ユニット４の導水性部材１０の上端に直接装着した感温性給排水部１１、あるいは貯水ユニット４の上に敷き詰めた感温性給排水層１２、さらには参考例の貯水層１５上に直接あるいは導水層を介して設けた感温性給排水層１２、孔付き遮水シート１６に設けた孔内に差し入れた感温性給排水部材１７のいずれもが同様の作用効果を示す。
具体的には、夏季の如く外気温が高い場合には、保水性ブロック７と貯水ボックス２の貯水空間８、あるいは貯水層１５との間の水分の移動を可能にして雨水等の貯水ボックス２への貯水、及び貯水ボックス２内に貯水した水の保水性ブロック７への移動による保水性ブロック７の冷却を助け、秋や冬のように外気温が下がったら自身でその内部に抱え込んで水の移動を止め、保水性ブロック７の表面の濡れや凍結を防ぎ、かつ保水性ブロック７内部の水の氷結による割れを効果的に防止することができる。
【００３１】
ところで前記各実施形態例、各参考例実施形態例では、本発明の貯水ユニットあるいは保水性舗装を舗道に適用した例のみ示しているが、これらは舗道に限らず、例えば、ビルの屋上緑化用にも適用できる。また公園内等の人が多く集まる場所において、特に夏季に周囲温度を下げたいような場所にも適用可能である。それ故、路床といった場合には、例えば、ビルの屋上のコンクリート面を指す場合もある。
【００３２】
以上説明したように本発明の貯水ユニット及び本発明および参考例の保水性舗装によれば、外気温が高く、それ故保水性ブロックを冷却したい時期に保水性ブロックに水を供給し、秋や冬のように冷却の必要のない場合には、保水性ブロックへの給水を止めることのできる貯水ユニットや保水性舗装を提供することができる。
【図面の簡単な説明】
【００３３】
【図１】本発明の貯水ユニット及び保水性舗装の一実施形態例を示す概略断面図である。
【図２】本発明の保水性舗装の別の実施形態例を示す一部概略断面図である。
【図３】参考例実施形態１を示す概略断面図である。
【図４】参考例実施形態１の変形例に用いる感温性給排水部材付き孔付き遮水シートの一例を示す平面図である。
【符号の説明】
【００３４】
１  下地
２  貯水ボックス
３  天板
４  貯水ユニット
５  透水性防砂部材
６  透水性クッション層
７  保水性ブロック
８  貯水空間
９  通水孔
１０  導水性部材
１１  感温性給排水部材
１２  感温性給排水層
１３  充填材
１４  遮水シート
１５  貯水層
１６  孔開き遮水シート
１７  円形の感温性給排水部材
【図１】
0004976233.tif 000002
【図２】
0004976233.tif 000003
【図３】
0004976233.tif 000004
【図４】
0004976233.tif 000005